(57)【特許請求の範囲】
【請求項１】
腰ボトム及び背ボトムを支持するベッドフレームと、
足ボトムを支持し、前記ベッドフレームの下方をベッド長手方向に沿って移動可能な足部フレームと、
前記足部フレームに対して上下動可能に取り付けられたレバーと、
前記ベッド長手方向に延び、前記レバーの上下動に連動して前記ベッド長手方向に運動する連動杆と、
前記連動杆に対して回動可能に連結され、前記連動杆の前記ベッド長手方向の運動に連動して第１位置と第２位置との間で上下動する係止部を有した連結片と、
前記ベッドフレームの側部フレームに設けられ、前記係止部が前記第２位置にあるときに前記連結片の足部側への移動を阻止することで、前記足部フレームの移動を阻止するロック機構と、
を備え、
前記ロック機構が前記足部フレームの移動を阻止したときに、前記足ボトムの前記ベッド長手方向の足部側の先端が、前記腰ボトムの前記ベッド長手方向の足部側の先端よりも前記ベッド頭部側に位置することを特徴とする妊婦用ベッド。
【請求項２】
前記ロック機構は、
前記ベッドフレームのベッド足部側に固定され、前記係止部が前記第１位置にあるときに前記連結片の通過を許容し、前記係止部が前記第２位置にあるときに前記連結片の通過を阻止する第１ストッパと、
前記ベッドフレームのベッド頭部側に固定され、前記係止部が前記第１位置にあるときに前記連結片の通過を許容し、前記係止部が前記第２位置にあるときに前記連結片の通過を阻止する第２ストッパと、
前記ベッドフレームの前記第１ストッパと前記第２ストッパとの間に固定され、前記係止部が前記第１位置にあるときに前記連結片の通過を許容し、前記係止部が前記第２位置にあるときに前記連結片の通過を阻止する第３ストッパと、
を有する請求項１記載の妊婦用ベッド。
【請求項３】
前記係止部が前記第１ストッパよりも前記ベッド足部側に位置するときに、前記足ボトムの全体が前記ベッドフレームから引き出されて寝台の一部として使用可能となり、
前記係止部が前記第２ストッパよりも前記ベッド頭部側に位置するときに、前記足ボトムの全体が前記ベッドフレームの下に格納されて前記腰ボトム及び前記背ボトムが椅子として使用可能となり、
前記係止部が前記第３ストッパに係止されているときに、前記足ボトムの一部が前記ベッドフレームから引き出されて新生児受け台として使用可能となる請求項２記載の妊婦用ベッド。
【請求項４】
前記第３ストッパは、
第１部材と、
第２部材と、
を有し、
前記第２部材は前記第１部材と前記第２ストッパとの間に配置されており、
前記第１部材と前記第２部材との間には前記係止部が進入可能であり、
前記第１部材の前記ベッド足部側の端縁と前記ベッド長手方向とのなす角度は、前記第１部材の前記ベッド頭部側の端縁と前記ベッド長手方向とのなす角度よりも小さく、
前記第２部材の前記ベッド頭部側の端縁と前記ベッド長手方向とのなす角度は、前記第２部材の前記ベッド足部側の端縁と前記ベッド長手方向とのなす角度よりも小さい請求項２または３に記載の妊婦用ベッド。
【請求項５】
前記第１部材の前記ベッド頭部側の端縁における前記第１位置側の部分は、前記ベッド頭部側に張り出している請求項４記載の妊婦用ベッド。
【請求項６】
前記第１ストッパの前記ベッド頭部側の端縁と前記ベッド長手方向とのなす角度は、前記第１ストッパの前記ベッド足部側の端縁と前記ベッド長手方向とのなす角度よりも小さく、
前記第２ストッパの前記ベッド足部側の端縁と前記ベッド長手方向とのなす角度は、前記第２ストッパの前記ベッド頭部側の端縁と前記ベッド長手方向とのなす角度よりも小さい請求項２〜５のいずれか１つに記載の妊婦用ベッド。
【請求項７】
前記連結片には長孔が形成されており、
前記連動杆は前記長孔内を移動可能な突起を有し、
前記足部フレームが前記ベッド長手方向に沿って移動することにより、前記係止部が前記第２位置から前記第１位置に変位したときに、前記突起が前記長孔内を移動する請求項１〜６のいずれか１つに記載の妊婦用ベッド。
【発明の詳細な説明】
【技術分野】
【０００１】
本発明は、ＬＤＲ（Labor Delivery Recovery）出産システム等に使用される妊婦用ベッドに関し、特に、その足ボトムの格納機構を改善した妊婦用ベッドに関する。
【背景技術】
【０００２】
ＬＤＲ出産システムに使用される妊婦用ベッドは、妊婦が出産を待つ病室に設置されており、妊婦は、この病室内で、ＬＤＲベッド上で出産までの時間を過ごし、陣痛がきたときには、このＬＤＲベッドがそのまま分娩ベッドに変態し、その後、出産後の産婦が回復を図る回復用ベッドに変態する。即ち、このＬＤＲベッドを使用したシステムにおいては、病室が陣痛室、分娩室、回復室にその都度変化し、妊婦は、陣痛室、分娩室、回復用病室に夫々移動する必要がなく、陣痛から分娩、回復までを、ソファ等の家庭的な設備をもつ個室の中で、リラックスして過ごすことができるという利点をもつものである。
【０００３】
ＬＤＲベッドに上述の機能をもたせるために、通常の就寝時等には、通常のベッドと同様に、頭部ボトムから、足ボトムまで、平坦な状態になり、検査時及び分娩時には、足ボトムが邪魔になるので、これを取り外し可能にするか、又は腰ボトムの下方に格納できるようにすることが必要である。
【０００４】
特許文献１に記載された従来ベッド（従来技術１）においては、足ボトムをベッドから取り外すことができる。従来の他のＬＤＲベッド（従来技術２）においては、足ボトムが、腰ボトム及び背ボトムよりも１段低い位置になるように配置される。そして、ベッドフレームには、足ボトムの両側部に整合する位置に突起が設けられており、足ボトムの両側部の下面には、前記突起に嵌合する孔部がベッド長手方向に複数個形成されている。そして、足ボトムを手前に出して、平らなベッドとして使用するときには、その位置で整合する孔部を前記突起に嵌合し、分娩又は検査の処置上、この足ボトムが邪魔になる場合には、足ボトムを若干持ち上げて、孔部を突起から離脱させ、足ボトムを持った状態で、ベッドの奥の方（腰ボトムの下方）に足ボトムを移動させ、この奥の位置で整合する孔部を前記突起に嵌合させて、足ボトムを不用意に抜け出ないように位置決めする。このようにして、足ボトムを腰ボトムの下方に格納するようになっている。
【０００５】
しかしながら、従来技術１のＬＤＲベッドにおいては、取り外された足ボトムは、病室の床に置かれる場合が多く、衛生的な問題がある。また、病室が広くない場合には，この取り外した足ボトムを置くのに十分なスペースがなく、置いたとしても、医師及び看護師の動線の妨げとなり、医療処置の効率の低下にもつながる。また、従来技術２のＬＤＲベッドにおいては、足ボトムを腰ボトムの下方に格納する際には、足ボトムの両側部の枠部分を両手で握持して持ち上げる必要があり、操作性が悪い。また、足ボトムの孔部を、ベッドフレームの突起に嵌合することにより、足ボトムが不用意に動いてしまわないように固定することができるが、足ボトムが円滑に動作しないため、看護師にとってストレスになる。
【０００６】
また、特許文献２（従来技術３）には、足ボトムを格納するために、アクチュエータ、ガススプリング又はモータを使用したものが記載されている。
【０００７】
しかしながら、従来技術３のＬＤＲベッドにおいては、駆動装置を足ボトムの下方に設置するためのスペースを確保する必要があり、ベッドのレイアウト設計の制約が生じる。例えば、ＬＤＲベッドでは、一般的に足ボトムの下方に廃液容器が設けられ、この廃液容器は大型のものが要望されている。このため、廃液容器と駆動装置との双方についてその設置場所が足ボトムの下方で競合する。また、このような駆動装置を装備することは、設備コストが高額化するという問題点もある。
【０００８】
これらの従来技術１及び３においては、足ボトムが存在する態勢と、足ボトムがない態勢とを取ることができるものの、その中間の態勢として、足ボトムを、一部だけ存在させる態勢をとることができなかった。このように、足ボトムの長さを変更することができれば、出産後に、母胎から取り出した出産直後の新生児を一時的に置いておくために、足ボトムを利用することができ、極めて有益である。しかし、従来技術１及び３の分娩台は、このような出産直後の新生児を一時的に置いておくための機能を有するものではなかった。また、従来技術２においては、ベッドフレームに設けられた突起に対して、足ボトムの下面に設けた孔部に前記突起を嵌入させることにより、足ボトムをベッドフレームに対して固定するが、このとき、足ボトムの格納状態と、引き出し状態とに固定する突起の他に、足ボトムを中間的な引き出し位置に固定するための孔部を足ボトムの下面に更に設けることにより、足ボトムをその格納状態よりも若干引き出した状態（足ボトムを全て引き出した状態と格納状態との中間の位置）に固定することができる。しかし、この従来技術２の場合は、前述の如く、足ボトムを両手で持ち上げて、孔部を突起から離脱させた後、ベッドフレームに対してスライドさせる必要があり、操作性が悪く、また、円滑に足ボトムをスライドさせることができないため、操作する看護師のストレスが高まる。
【０００９】
特許文献３（従来技術４）には、分娩によって患者から生まれ出てくる新生児を受けるための児受け台を設けた分娩台が開示されている。この児受け台は、足ボトムをリンク機構により上昇・下降させると共に、このリンク機構の支持部材を、腰ボトムの下方に出し入れできるようになっている。そして、前記リンク機構により足ボトムを降下させた状態で、前記支持部材を腰ボトムの下方に引き込むことにより、足ボトムを腰ボトムの下方に格納し、前記支持部材を腰ボトムから引き出し、前記リンク機構により、足ボトムを上昇させることにより、足ボトムは、妊婦が就寝又は休息するときのベッドの一部を構成するようになる。そして、昇降基枠に、足ボトムの引出方向に延びるラック部材（固定側係合部材）が固定されており、足ボトムのリンク機構を支持する支持部材に、回転可能の爪部材（可動側係合機構）が設置されていて、前記爪部材を前記ラック部材に係合させることにより、前記支持部材を足ボトムの引出方向の任意の位置に固定することができるようになっている。足ボトムのレバーを操作することにより、前記爪部材が持ち上がり、足ボトムの支持部材のロックが解除され、足ボトムの引出及び格納が可能になっている。
【先行技術文献】
【特許文献】
【００１０】
【特許文献１】特開２００７−１６７６２８号公報
【特許文献２】特開２００２−２５３６２５号公報
【特許文献３】特許第５４７０１５１号公報
【発明の概要】
【発明が解決しようとする課題】
【００１１】
上記特許文献３に記載の従来技術４においては、ラック部材に対する爪部材の係合位置を調節することにより、足ボトムを任意の位置に一旦固定することができるので、足ボトムが完全に引き出された位置と、足ボトムが腰ボトムの下方に格納された位置との間の中間の位置に固定し、この態勢で、足ボトムを、新生児を一時的においておくための児受け台として利用することができる。しかし、この従来技術４においては、ラック部材を使用して足ボトムの固定位置を調整しているので、児受け台を設けるための設置コストが高くなるという問題点がある。また、この従来技術４においては、足ボトムをリンク機構を使用して上昇・下降させると共に、このリンク機構を腰ボトムの下方に出し入れさせるため、設備コストが高いという欠点もある。
【００１２】
本発明はかかる問題点に鑑みてなされたものであって、足ボトムを新生児受け台として使用することができ、足ボトムを両手で持ち上げる必要がなく、片手操作が可能であり、清潔であると共に医師等の動線を阻害せず、足ボトムを円滑に移動させてその位置に固定することを、低コストで可能にすると共に、腰ボトムの下方にスペースの余裕がある妊婦用ベッドを提供することを目的とする。
【課題を解決するための手段】
【００１３】
実施形態に係る妊婦用ベッドは、
腰ボトム及び背ボトムを支持するベッドフレームと、
足ボトムを支持し、前記ベッドフレームの下方をベッド長手方向に沿って移動可能な足部フレームと、
前記足部フレームに対して上下動可能に取り付けられたレバーと、
前記ベッド長手方向に延び、前記レバーの上下動に連動して前記ベッド長手方向に運動する連動杆と、
前記連動杆に対して回動可能に連結され、前記連動杆の前記ベッド長手方向の運動に連動して第１位置と第２位置との間で上下動する係止部を有した連結片と、
前記ベッドフレームの側部フレームに設けられ、前記係止部が前記第２位置にあるときに前記連結片の通過を阻止することで、前記足部フレームの移動を阻止するロック機構と、
を備え、
前記ロック機構が前記足部フレームの移動を阻止したときに、前記足ボトムの前記ベッド長手方向の足部側の先端が、前記腰ボトムの前記ベッド長手方向の足部側の先端よりも前記ベッド頭部側に位置する。
前記ロック機構は、
前記ベッドフレームのベッド足部側に固定され、前記係止部が前記第１位置にあるときに前記連結片の通過を許容し、前記係止部が前記第２位置にあるときに前記連結片の通過を阻止する第１ストッパと、
前記ベッドフレームのベッド頭部側に固定され、前記係止部が前記第１位置にあるときに前記連結片の通過を許容し、前記係止部が前記第２位置にあるときに前記連結片の通過を阻止する第２ストッパと、
前記ベッドフレームの前記第１ストッパと前記第２ストッパとの間に固定され、前記係止部が前記第１位置にあるときに前記連結片の通過を許容し、前記係止部が前記第２位置にあるときに前記連結片の通過を阻止する第３ストッパと、
を有していてもよい。
【００１４】
この妊婦用ベッドにおいては、例えば、
前記係止部が前記第１ストッパよりも前記ベッド足部側に位置するときに、前記足ボトムの全体が前記ベッドフレームから引き出されて寝台の一部として使用可能となり、
前記係止部が前記第２ストッパよりも前記ベッド頭部側に位置するときに、前記足ボトムの全体が前記ベッドフレームの下に格納されて前記腰ボトム及び前記背ボトムが椅子として使用可能となり、
前記係止部が前記第３ストッパに係止されているときに、前記足ボトムの一部が前記ベッドフレームから引き出されて新生児受け台として使用可能となる。
【００１５】
前記第３ストッパは、例えば、
第１部材と、
第２部材と、
を有し、
前記第２部材は前記第１部材と前記第２ストッパとの間に配置されており、
前記第１部材と前記第２部材との間には前記係止部が進入可能であり、
前記第１部材の前記ベッド足部側の端縁と前記ベッド長手方向とのなす角度は、前記第１部材の前記ベッド頭部側の端縁と前記ベッド長手方向とのなす角度よりも小さく、
前記第２部材の前記ベッド頭部側の端縁と前記ベッド長手方向とのなす角度は、前記第２部材の前記ベッド足部側の端縁と前記ベッド長手方向とのなす角度よりも小さい。
【００１６】
この場合において、前記第１部材の前記ベッド頭部側の端縁における前記第１位置側の部分は、前記ベッド頭部側に張り出していてもよい。
【００１７】
この妊婦用ベッドにおいて、例えば、
前記第１ストッパの前記ベッド頭部側の端縁と前記ベッド長手方向とのなす角度は、前記第１ストッパの前記ベッド足部側の端縁と前記ベッド長手方向とのなす角度よりも小さく、
前記第２ストッパの前記ベッド足部側の端縁と前記ベッド長手方向とのなす角度は、前記第２ストッパの前記ベッド頭部側の端縁と前記ベッド長手方向とのなす角度よりも小さい。
【００１８】
この妊婦用ベッドにおいて、例えば、
前記連結片には長孔が形成されており、
前記連動杆は前記長孔内を移動可能な突起を有し、
前記足部フレームが前記ベッド長手方向に沿って移動することにより、前記係止部が前記第２位置から前記第１位置に変位したときに、前記突起が前記長孔内を移動する。
【発明の効果】
【００１９】
本発明によれば、支持部材に支持された足ボトムアセンブリをベッド長手方向に移動させ、係止部を第１ストッパに係止させることにより、足ボトムを出して寝台として使用でき、係止部を第２ストッパに係止させることにより、足ボトムを腰ボトムの下に格納することができ、係止部を第３ストッパに係止させることにより、足ボトムを新生児受け台として利用することができる。そして、レバーを操作し、連動杆を介して連結片を揺動させることにより、この連結片に設けられた係止部による第１ストッパ、第２ストッパ及び第３ストッパの係止を解除する。これにより、足ボトムアセンブリの移動が可能となる。
【００２０】
よって、本発明によれば、レバーに対する片手操作で、足ボトムを寝台としての使用状態、分娩椅子若しくは検査椅子としての使用状態又は新生児受け台としての使用状態に選択的に設定することができる。また、足ボトムを診察室の床に置く必要がなく、清潔であり、医師及び看護師の動線を阻害することもなく、ベッドの腰ボトムの下方に十分なスペースを確保することができる。更に、装置構造は簡素であり、装置コストも低い。
【００２１】
また、本願請求項２に係る発明によれば、
足ボトムアセンブリがベッド頭部側に移動する際、係止部が下位置にあっても第１部材を乗り越えて前記第１部材と前記第２部材との間に進入し、第１部材と第２部材との間に係止部が係止されて、足ボトムアセンブリ、ひいては足ボトムがこの位置に一旦固定される。この状態で、足ボトムは新生児受け台として機能する。足ボトムを移動させる場合は、レバーを操作して係止部を上昇させ、係止部による第３ストッパ（第１部材及び第２部材）の係止を解除する。
【００２２】
更に、本願請求項３に係る発明によれば、
足ボトムを出して寝台として使用している状態から、分娩又は検査のために、前記足ボトムを格納しようとするときは、レバーを操作して係止部を上位置に上昇させた後、前記足ボトムアセンブリを押し込み、係止部が第１ストッパを通過した後、前記レバーを解除する。そして、前記係止部が下位置にあっても、係止部は第２ストッパを通過するが、その後、足ボトムアセンブリが足部側に移動しようとしても、第２ストッパに係止されて、前記係止部は第２ストッパを通過できない。このため、足ボトムアセンブリはこの第２ストッパにより、腰ボトムの下方に格納された状態を保持する。そして、足ボトムアセンブリを引き出す場合は、前記レバーを操作して前記係止部を上位置にすると、前記係止部は前記第２ストッパを通過する。その後、第３ストッパを通過した後、前記レバーを解除しても、前記係止部は、第１ストッパを通過して、寝台としての使用状態の位置まで引き出すことができる。
【００２３】
このように、レバーの操作のみで、足ボトムアセンブリを、引出位置、新生児受け台位置、格納位置に容易に停止させることができ、片手操作による妊婦用ベッドの態勢変更が可能である。
【図面の簡単な説明】
【００２４】
【図１】本発明の実施形態の妊婦用ベッドのフレーム構造を示す図であり、（ａ）は足ボトムを引き出した状態、（ｂ）は足ボトムを格納した状態を示す。
【図２】（ａ）、（ｃ）は、上記フレーム構造の上に、マットレスを載置した妊婦用ベッドの完成品を示す図であり、（ａ）は足ボトムを引き出して、横臥用ベッドとして使用する場合を示し、（ｃ）は足ボトムを格納して、検査又は分娩時の使用状態を示すものであり、図２（ｂ）、（ｄ）は、図２（ａ）、（ｃ）から、マットレスを取り外した状態を示す。
【図３】（ａ）はベッドフレームを示す斜視図、（ｂ）はベッドフレームに取り付けられた第１ストッパ３１を示す斜視図、（ｃ）は同じく第２ストッパ３２を示す斜視図、（ｄ）は同じく第３ストッパの第１部材４１を示す斜視図、（ｅ）は同じく第３ストッパの第２部材４２を示す斜視図，（ｆ）はローラを示す斜視図である。
【図４】足ボトムを示す斜視図である。
【図５】足ボトムアセンブリを示す斜視図である。
【図６】本実施形態の足ボトムの格納開始時の動作を示す図である。
【図７】本実施形態の足ボトムの格納終了時の動作を示す図である。
【図８】本実施形態の足ボトムの引出開始時の動作を示す図である。
【図９】本実施形態の足ボトムの引出終了時の動作を示す図である。
【図１０】本実施形態の足ボトムの新生児受け時の動作を示す図である。
【図１１】第２ストッパ３２の形状を示す図である。
【図１２】第２ストッパ３２の好ましい形状を示す図である。
【図１３】連結片２１の動作を示す図である。
【図１４】連結片２１の動作を示す図である。
【発明を実施するための形態】
【００２５】
以下、本発明の実施形態について、添付の図面を参照して具体的に説明する。図２に示すように、妊婦用ベッド１は、その腰ボトム３ｂが水平に設置されており、背ボトム３ｃは、水平状態と起き上がり状態とをとることができる。足ボトム３ａ上には第１マットレス２ａが載置され、腰ボトム３ｂ及び背ボトム３ｃ上には、第２マットレス２ｂが載置される。足ボトム３ａは腰ボトム３ｂの下方から引き出すことができると共に、腰ボトム３ｂの下方に格納することができる。足ボトム３ａを格納した場合は、第１マットレス２ａは取り外される。図３に示すベッドフレーム４上に図１に示す腰ボトム３ｂが配置され、腰ボトム３ｂに背ボトム３ｃが支持されており、図４及び図５に示す足ボトム３ａが、ベッドフレーム４にベッド長手方向に移動可能に支持されている。以下、本発明の実施形態について、詳細に説明する。
【００２６】
図１（ａ）に示すように、ベッドフレーム４上に、腰ボトム３ｂが支持され、腰ボトム３ｂに背ボトム３ｃが支持されており、足ボトム３ａが、腰ボトム３ｂの下方から引き出したり、また腰ボトム３ｂの下方に格納することができるように、設置されている。腰ボトム３ｂは、ベッドフレーム４上に固定され、背ボトム３ｃは腰ボトム３ｂに支持されて、図２（ａ）に示すように、起き上がったり、また水平状態に倒れたりすることができるようになっている。図２（ａ）に示すように、足ボトム３ａ上には、第１マットレス２ａが載置され、腰ボトム３ｂ及び背ボトム３ｃ上には、第２マットレス２ｂが載置される。なお、図１及び図２（ｂ）に示すように、足ボトム３ａは、腰ボトム３ｂよりも若干低い位置に配置されるので、第１マットレス２ａの厚さは、第２マットレス２ｂの厚さよりも、その分、厚くなっていて、第１マットレス２ａ及び第２マットレス２ｂの上面が面一になるようになっている。
【００２７】
図３に示すように、ベッドフレーム４は、ベッド長手方向に延びる１対の側部フレーム４ａ，４ｂを有する。この側部フレーム４ａ、４ｂの頭部側端部は、ベッド幅方向に延びる１本の横フレーム４ｄに固定されており、側部フレーム４ａ，４ｂの足部側端部間には、ベッド幅方向に延びる１本の横フレーム４ｃが固定されている。これらの側部フレーム４ａ、４ｂ、横フレーム４ｃ、４ｄにより、矩形のフレーム構造が形成されている。このフレーム構造は、駆動機構５により支持されており、この駆動機構５により、ベッドフレーム４が上昇及び下降するようになっている。これにより、必要に応じて、ベッドフレーム４が上位置と下位置とをとることができる。また、腰ボトム３ｂはベッドフレーム４に固定されているが、このベッドフレーム４には、背ボトム３ｃを起こしたり、寝かしたりするための揺動機構（図示せず）が設置されており、この揺動機構に背ボトム３ｃが取り付けられていて、背ボトム３ｃは、図２に示すように、起き上がった位置と、図１に示すように、水平状態に寝た位置と、必要に応じて、その中間の任意の位置とをとることができるようになっている。
【００２８】
図４及び図５に示すように、足ボトム３ａは、足ボトムアセンブリ１０として構成される。図４は足ボトムアセンブリ１０の構成部品を示す図、図５は組立後の足ボトムアセンブリ１０を示す図である。なお、足ボトム３ａは図１に示すように板状をなすが、図４及び図５において、足ボトム３ａは、足ボトム３ａの下方の部分を図示するために、輪郭のみ示す。足ボトムアセンブリ１０は、ベッド長手方向に延びる１対の足部フレーム１１ａ，１１ｂを有する。この足部フレーム１１ａ、１１ｂは、ベッド幅方向に延びる１対の横フレーム１１ｃ、１１ｄにより固定されており、これにより、矩形のフレーム構造体が形成されている。そして、板状の足ボトム３ａは、上記フレーム構造体上に固定されている。横フレーム１１ｃの外側端面には、ベッド長手方向に突出するヒンジ１２ａ、１２ｂが固定されており、このヒンジ１２ａ、１２ｂには、レバー１５の取付用の孔１２ａａ、１２ｂｂが形成されている。レバー１５は、その長手方向に垂直に突出するヒンジ１６ａ，１６ｂが固定されており、このヒンジ１６ａ，１６ｂには、孔１６ａａ、１６ｂｂが形成されている。そして、孔１６ａａ，１６ｂｂを孔１２ａａ、１２ｂｂに整合させて、双方にピンを挿入することにより、レバー１５が横フレーム１１ｃに揺動可能に支持されるようになっている。また、レバー１５の足部フレーム１１ａ側の端部には、レバー１５の長手方向に垂直の方向に突出するヒンジ１７が固定されている。なお、横フレーム１１ｃのヒンジ１２ａ、１２ｂが取り付けられた端面には、断面がＬ字形で、水平に外側に突出するストッパ１３が固定されている。レバー１５は下降したときに、このストッパ１３に当接して、ストッパ１３はそれ以上レバー１５が下降しないように、係止する。
【００２９】
この足ボトムアセンブリ１０の足部フレーム１１ａにおける横フレーム１１ｃの反対側の端部には、平面視でコ字状をなす軸部１４ａが固定されている。この軸部１４ａは、そのベッド長手方向に平行に延出する１対の部分に、軸孔１４ａａが形成されている。一方、連結片２１は、棒状の係止部２３に対し、１対の羽根状の第１片２２ａ及び第２片２２ｂが相互に平行に、かつ係止部２３に垂直に固定されたものである。第１片２２ａには孔２２ａａが形成され、第２片２２ｂには、係止部２３の長手方向に関して孔２２ａａに整合する位置に、孔２２ｂｂが形成されている。また、第１片２２ａには、長孔２４が形成されている。そして、この連結片２１は、孔２２ａａ及び孔２２ｂｂを夫々軸孔１４ａａ，１４ａｂに整合させた状態で、ピンを各孔に挿通させることにより、軸部１４ａに回動可能に支持されている。
【００３０】
そして、レバー１５が横フレーム１１ｃに揺動可能に支持された状態で、ヒンジ１７の位置と、軸部１４ａの位置との間に延びるように、足部フレーム１１ａに平行の連動杆１８が配置されている。この連動杆１８のレバー１５側の端部には、ヒンジ１９が固定されていて、ヒンジ１９には孔１９ａが形成されている。また、連動杆１８の軸部１４ａ側の端部には、ヒンジ２０が固定されていて、ヒンジ２０には円柱状の突起２０ａが形成されている。但し、ヒンジ２０に孔を設け、突起２０ａをピン又は段付ボルトで代用しても良い。そして、孔１９ａと孔１７ａとを整合させて両者にピンを挿通することにより、ヒンジ１７とヒンジ１９とが、相対的に回転可能に連結されている。一方、ヒンジ２０の突起２０ａは、連結片２１の長孔２４に嵌合されている。
【００３１】
これにより、レバー１５を握持して持ち上げると、レバー１５が上方に揺動する結果、ヒンジ１７が回動して、連結杆１８をベッド長手方向の足側に引き寄せ、軸部１４ａに軸支されたヒンジ２０の突起２０ａが、連結杆１８の移動に連動して、ベッド長手方向の足側に移動する。この突起２０ａは連結片２１の長孔２４に係合しているので、連結片２１を係止部２３が持ち上がる方向に揺動させ、結果として、係止部２３が上方に移動する。
【００３２】
このようにして、足ボトムアセンブリ１０に対し、レバー１５，連結片２１及び連動杆１８が装着されて、図５に示す足ボトムアセンブリ１０が組み立てられている。
【００３３】
図３に示すように、ベッドフレーム４においては、その側部フレーム４ａ、４ｂの各外面に、夫々、図３（ｆ）に示す３個のローラ３０（３０ａａ、３０ａｂ、３０ａｃ）及びローラ３０（３０ｂａ，３０ｂｂ、３０ｂｃ）が回転軸をベッド幅方向にして回転可能に軸支されている。これらの側部フレーム４ａ、４ｂのローラ３０ａａ、３０ａｂ、３０ａｃ及びローラ３０ｂａ，３０ｂｂ、３０ｂｃ上に、夫々、足ボトムアセンブリ１０の足部フレーム１１ａ，１１ｂが支持され、ローラ３０ａａ、３０ａｂ、３０ａｃ及びローラ３０ｂａ，３０ｂｂ、３０ｂｃの回転により、足ボトムアセンブリ１０がベッド長手方向に円滑に往復移動することができる。各３個のローラ３０ａａ、３０ａｂ、３０ａｃ及びローラ３０ｂａ，３０ｂｂ、３０ｂｃは、夫々、平面視で略Ｕ字形の枠体３５ａ、３５ｂに取り囲まれ、この枠体３５ａ，３５ｂは、夫々、その端部が側部フレーム４ａ、４ｂに固定されている。
【００３４】
なお、図４（ａ）に示すように、足部フレーム１１ｂにおける横フレーム１１ｃの反対側の端部には、この端部処理のための端部片１４ｂが固定されている。そして、足部フレーム１１ａの軸部１４ａ及び足部フレーム１１ｂの端部片１４ｂには、夫々、ストッパ１４ａｃ及びストッパ１４ｂｃが取り付けられている。このストッパ１４ａｃ及びストッパ１４ｂｃは、足ボトムアセンブリ１０が足部側に移動したときに、夫々、図３（ａ）に示す枠体３５ａ及び枠体３５ｂの頭部側の部分３５ａａ及び部分３５ｂａに当接する。
【００３５】
また、一方の側部フレーム４ａには、ベッド長手方向の足部側に、第１ストッパ３１が設置されており、ベッド長手方向の頭部側に、第２ストッパ３２が設置されており、更に、それらの中間の位置であって若干第１ストッパ３１寄りの位置に、第３ストッパの第１部材４１及び第２部材４２が設置されている。第１ストッパ３１は、図３（ｂ）に示すように、側部フレーム４ａからベッド幅方向の外側に若干延出する部分と、この延出部分から上方に起立する係止片３１ａとから構成され、係止片３１ａは略三角形状をなし、ベッド足部側の辺３１ａａが垂直上方に延び、ベッド頭部側の辺３１ａｂが傾斜している。また、第２ストッパ３２も、図３（ｃ）に示すように、側部フレーム４ａからベッド幅方向の外側に若干延出する部分と、この延出部分から上方に起立する係止片３２ａとから構成され、係止片３２ａは略三角形状をなすが、ベッド足部側の辺３２ａａが傾斜しており、ベッド頭部側の辺３２ａｃが垂直上方に延び、更に、この辺３２ａｃの上部３２ａｂは、ベッド頭部側に若干張り出している。更に、第３ストッパは、その第１部材４１がベッド足部側に配置され、この第１部材４１との間に、若干の間隔をおいて、第２部材４２がベッド頭部側に配置されている。この第１部材４１と第２部材４２との間の最小間隔は、係止部２３が通過できる程度のものである。そして、この第１部材４１は、基本的には、第２ストッパ３２と同様の形状を有し、図３（ｄ）に示すように、側部フレーム４ａからベッド幅方向の外側に若干延出する部分と、この延出部分から上方に起立する係止片４１ａとから構成され、係止片４１ａは略三角形状をなすが、ベッド足部側の辺４１ａａが傾斜しており、ベッド頭部側の辺４１ａｃが垂直上方に延び、更に、この辺４１ａｃの上部４１ａｂは、ベッド頭部側に若干張り出している。また、第２部材４２は、基本的には、第１ストッパ３１と同様の形状を有し、図３（ｅ）に示すように、側部フレーム４ａからベッド幅方向の外側に若干延出する部分と、この延出部分から上方に起立する係止片４２ａとから構成され、係止片４２ａは略三角形状をなし、ベッド足部側の辺４２ａａが垂直上方に延び、ベッド頭部側の辺４２ａｂが傾斜している。これらの第１ストッパ３１の係止片３１ａ、第２ストッパ３２の係止片３２ａ並びに第３ストッパの第１部材４１の係止片４１ａ及び第２部材４２の係止片４２ａは、ローラ３０ａａ、３０ａｂ、３０ａｃ上に支持された足部フレーム１１ａに取り付けられた連結片２１の係止部２３が移動する軌跡上に位置する。なお、第１ストッパ３１と第２部材４２とを同一形状にし、第２ストッパ３２と第１部材４１とを同一形状にすることにより、部品の共通化を図ることができ、製造コストの低下につながるが、必ずしも、上述のように、第１ストッパ３１と第２部材４２とを同一形状にし、第２ストッパ３２と第１部材４１とを同一形状にする必要はない。これらのストッパとしては、後述するように、ベッド長手方向に移動する係止部材２３が乗り越えられる斜辺と、係止部材が２３がそのままでは乗り越えられない垂直辺をもつものであれば良い。
【００３６】
そして、第１ストッパ３１は、ローラ３０ａａ、３０ａｂ、３０ａｃ上を頭部側に向けて移動しようとする足部フレーム１１ａの先端の連結片２１の係止部２３が辺３１ａａに当接するときに、足ボトム３ａが図１（ａ）の引き出し位置（寝台として使用される状態）になるように、位置決めされている。また、第２ストッパ３２は、足部側に向けて移動しようとする足部フレーム１１ａの先端の連結片２１の係止部２３が辺３２ａｃに当接するときに、足ボトム３ａが図１（ｂ）の格納位置（分娩又は検査として使用される状態）になるように、位置決めされている。更に、第３ストッパの第１部材４１及び第２部材４２は、その相互対向位置が、足ボトム３ａを新生児の受け台として利用するときの位置になるように、位置決めされている。
【００３７】
次に、上述のごとく構成された本実施形態の妊婦用ベッドの動作について説明する。先ず、足ボトム３ａの格納動作について、図６及び図７を参照して説明する。図６（ａ）に示すように、足ボトム３ａが引き出されて、寝台として使用されているときは、係止部２３は第１ストッパ３１よりも足部側に位置している。この状態で、足ボトムアセンブリ１０を頭部側に向けて押し込むと（足ボトムアセンブリ１０を図示の左側に移動させると）、係止部２３が第１ストッパ３１の辺３１ａａに当接する。このため、足ボトム３ａは、寝台としての使用位置に固定される。次いで、足ボトム３ａを格納する際又は新生児受け位置に移動させる際には、図６（ｂ）に示すように、レバー１５を持ち上げる。そうすると、ヒンジ１６ａ，１７が回動し、連動杆１８を足部側に引き寄せる。これにより、ヒンジ２０の先端の突起２０ａが長孔２４を足部側に回動させ、第１片２２ａを上方に（図示の時計方向に）回動させ、係止部２３を持ち上げる。このため、足ボトムアセンブリ１０を頭部側に押し込むと、係止部２３は第１ストッパ３１の辺３１ａａに当接することなく、この第１ストッパ３１を通過することができる。更に、この係止部２３を持ち上げた状態で、第３ストッパの第１部材４１及び第２部材４２を通過した後、図７（ａ）に示すように、レバー１５を解除すると、レバー１５は自重で降下し、ストッパ１３に当接して、それ以上下降しない。この状態で、足ボトムアセンブリ１０を更に押し込むと、係止部２３は第２ストッパ３２の斜辺３２ａａに当接し、辺３２ａａはなだらかな斜面であるので、突起２０ａが長孔２４を相対的に移動しつつ、係止部２３はこの斜面３２ａａを登り、上部３２ａｂを乗り越えて、図７（ｂ）に示すように、係止部２３は辺３２ａｃ側に落ち込む。つまり、図７（ａ）に示すように、係止部２３が斜辺３２ａａを登り、これに伴い、第１片２２ａが図７（ａ）の図示の時計方向に回動し、長孔２４が突起２０ａに対して相対的に時計方向に回動する。そして、図７（ｂ）に示すように、係止部２３が上部３２ａｂを乗り越えて辺３２ａｃ側に落ち込むと、長孔２４は突起２０ａに相対的に反時計方向に回動する。これにより、係止部２３が辺３２ａｃに係止されて、足ボトムアセンブリ１０が不用意に足部側に移動してしまうことがなく、この格納位置にロックされる。
【００３８】
このようにして、係止部２３が第１ストッパ３１及び第３ストッパ（第１部材４１，第２部材４２）を通過するときのみ、レバー１５を上方に揺動させ、その後は、レバー１５から手を離して、足ボトムアセンブリ１０を頭部側に押し込むだけで、足ボトムアセンブリ１０を所定の格納位置に納めて、第２ストッパ３２により、その位置にロックすることができる。
【００３９】
次に、足ボトム３ａの引き出し動作について、図８及び図９を参照して説明する。図８（ａ）に示すように、足ボトムアセンブリ１０が格納位置にロックされているとき、図８（ｂ）に示すように、レバー１５を持ち上げ、連動杆１８を足部側に移動させて、この連動杆１８を介して突起２０ａを足部側に移動させ、長孔２４を介して第１片２２ａを図８（ｂ）の図示上、時計方向に回動させる。これにより、係止部２３が持ち上がり、足ボトムアセンブリ１０を足部側に移動させると、係止部２３が第２ストッパ３２の上部３２ａｂを乗り越え、係止部２３の第２ストッパ３２による係止が解除される。その後、足ボトムアセンブリ１０を更に引き出し、係止部２３が上位置にある状態で、第３ストッパ（第１部材４１，第２部材４２）を通過した後、レバー１５を解除して、下降させる。更に、足ボトムアセンブリ１０を引き出すと、図９（ａ）に示すように、係止部２３が第１ストッパ３１に到る。そうして、係止部２３は、第１ストッパ３１の斜辺３１ａｂを登り、第１片２２ａが時計方向に回動する。その後、図９（ｂ）に示すように、係止部２３は第１ストッパ３１を完全に乗り越える。そして、係止部２３は第１ストッパ３１の辺３１ａａにより係止されて、足ボトムアセンブリ１０がこの引き出し位置にロックされる。なお、足ボトムアセンブリ１０は、そのストッパ１４ａｃ及びストッパ１４ｂｃが枠体３５ａ及び枠体３５ｂの頭部側の部分３５ａａ及び部分３５ｂａに当接することにより、それ以上、引き出されることはない。これにより、足ボトムアセンブリ１０が不用意にベッドフレーム４から抜け出てしまうことがない。
【００４０】
この足ボトムアセンブリ１０の引き出し動作も、片手で容易に、行うことができ、図９（ｂ）の位置まで足ボトムアセンブリ１０を引き出せば、自動的にその位置にロックすることができる。
【００４１】
次に、足ボトム３ａを新生児受け位置に固定する場合は、例えば、図６（ａ）に示す足ボトムアセンブリ１０が引出位置にあるとき、図６（ｂ）に示すように、レバー１５を持ち上げて、係止部２３を持ち上げ、第１ストッパ３１を通過させ、その後、レバー１５を解除して、レバー１５を下位置にした状態で、足ボトムアセンブリ１０を押し込むと、図１０（ａ）に示すように、係止部２３が第３ストッパの第１部材４１に到る。その後、係止部２３が第１部材４１の斜辺４１ａａを登り、連結片２１が時計方向に回動する。次いで，係止部２３が第１部材４１の上部４１ａｂを乗り越えると、係止部２３が、第１部材４１と第２部材４２との間の隙間に落ち込み、連結片２１が反時計方向に回動する。このとき、突起２０ａが長孔２４を時計方向に相対的に移動するので、レバー１５は変化しない。この図１０（ａ）に示す状態で、係止部２３が第１部材４１及び第２部材４２からなる第３ストッパに係止されて、足ボトムアセンブリ１０はベッド長手方向に移動しないように固定される。即ち、足ボトム３ａが新生児の受け台として機能できる位置に停止する。第１部材４１の上部４１ａｂが頭部側に張り出しているので、係止部２３が第１部材４１と第２部材４２との間の空間から、不用意に抜け出ることがないようになっている。
【００４２】
その後、足ボトムアセンブリ１０を移動させる場合は、図１０（ｂ）に示すように、レバー１５を握って持ち上げ、連動杆１８を足部側に引き戻す。そうすると、突起２０ａが長孔２４を介して第１片２２ａ（連結片２１）を時計方向に回動させ、係止部２３を持ち上げる。これにより、係止部２３が第１部材４１と第２部材４２との間の空間から離脱し、足ボトムアセンブリ１０が移動できるようになる。そこで、足ボトムアセンブリ１０を引出位置に引き出すか、又は格納位置に押し込む。そして、図６（ａ）に示すように、第１ストッパ３１により足ボトムアセンブリ１０を引出位置に係止するか、又は図８（ａ）に示すように、第２ストッパ３２により足ボトムアセンブリ１０を格納位置に係止する。
【００４３】
このようにして、本実施形態においては、レバー１５に対する片手操作で、足ボトム３ａを寝台としての使用状態（引出位置）、分娩椅子若しくは検査椅子としての使用状態（格納状態）又は新生児受け台としての使用状態に選択的に設定することができる。また、足ボトム３ａを診察室の床に置く必要がなく、清潔であり、医師及び看護師の動線を阻害することもなく、ベッドの腰ボトムの下方に十分なスペースを確保することができる。更に、装置構造は簡素であり、装置コストも低い。このように、レバー１５の操作のみで、足ボトムアセンブリ１０を、引出位置、新生児受け台位置、及び格納位置に容易に停止させることができ、片手操作による妊婦用ベッドの態勢変更が可能である。
【００４４】
なお、図１１に示すように、第２ストッパ３２は、斜辺３２ａａと垂直辺３２ａｃとの間に、頭部側に若干張り出す上部３２ａｂが設けられている。足ボトムアセンブリ１０は、片側３個、両側で６個のローラ３０の上を転動するが、製造のバラツキ等により、各ローラ３０の相互間で高さの差が生じることがある。そうすると、正常な状態では、図１２（ａ）に示すように、格納位置のロック状態で、係止部２３が、第２ストッパ３２の垂直片３２ａｃの下方位置に係合する位置まで下降する。しかし、製造のバラツキにより、ローラ３０の高さ位置にバラツキが生じると、足ボトムアセンブリ１０が図１２（ｂ）に示すように傾斜してしまうことがある。この場合に、図１２（ｃ）に示すように、仮に、頭部側に張り出す上部３２ａｂが形成されていないと、足ボトムアセンブリ１０に何らかの力が作用したときに、係止部２３が第２ストッパ３２の上部３２ａｂから外れてしまう虞がある。即ち、不完全ロック状態となる。このため、頭部側に張り出す上部３２ａｂを形成することが好ましい。これにより、図１２（ｂ）に示すように、足ボトムアセンブリ１０が傾斜しても、第２ストッパ３２によるロックは解除されない。一方、図１２（ｄ）に示すように、レバー１５を操作して、係止部２３を上昇させると、この係止部２３は、孔２２ａａ（孔１４ａａ）を中心として、図示のような軌跡で移動する。このため、頭部側に張り出す上部３２ａｂは、この係止部２３の移動軌跡の範囲外になるような形状にすることが必要である。第３ストッパの第１部材４１の上部４１ａｂも同様である。
【００４５】
図１３に示すように、連結片２１は孔２２ａａ及び孔１４ａａに挿通されたピン（図示せず）を回動軸として回動する。このとき、図１３に示すように、連結片２１の重心位置は、この回動軸よりも頭部側に位置する。このため、連結片２１は自重で落下する。しかし、何らかの理由により、この連結片２１に対して、自重による落下方向の荷重が作用しにくい場合には、図１４に示すように、足部フレーム１１ａと、連結片２１との間に、圧縮バネ４０を設け、連結片２１に対して、図１４の図示上、反時計方向に弾性力を印加して、連結片２１を反時計方向に付勢することが好ましい。
【００４６】
なお、上記実施形態は、一方の側部フレーム４ａ側の足部フレーム１１ａに連動杆１８及び連結片２１を設けたものであるが、これに限らず、両側部フレーム４ａ、４ｂについて、足部フレーム１１ａ、１１ｂに連動杆及び連結片を設置してもよい。
【符号の説明】
【００４７】
３ａ：足ボトム
３ｂ：腰ボトム
３ｃ：背ボトム
４：ベッドフレーム
４ａ、４ｂ：側部フレーム
１０：足ボトムアセンブリ
１１ａ、１１ｂ：足部フレーム
１５：レバー
１８：連動杆
２０ａ：突起
２１：連結片
２２ａ：第１片
２２ｂ：第２片
２３：係止部
２４：長孔
３１：第１ストッパ
３１ａ：係止片
３１ａａ、３１ａｂ:辺
３２：第２ストッパ
３２ａ：係止片
３２ａａ、３２ａｃ：辺
３２ａｂ：上部
４１：第１部材（第３ストッパ）
４２：第２部材（第３ストッパ）
４１ａ，４２ａ：係止片
４１ａａ、４１ａｃ：辺
４１ａｂ：上部
４２ａａ、４２ａｂ：辺
【図１】
0006688573.tif 000002
【図２】
0006688573.tif 000003
【図３】
0006688573.tif 000004
【図４】
0006688573.tif 000005
【図５】
0006688573.tif 000006
【図６】
0006688573.tif 000007
【図７】
0006688573.tif 000008
【図８】
0006688573.tif 000009
【図９】
0006688573.tif 000010
【図１０】
0006688573.tif 000011
【図１１】
0006688573.tif 000012
【図１２】
0006688573.tif 000013
【図１３】
0006688573.tif 000014
【図１４】
0006688573.tif 000015